(57)【要約】【課題】移動規制端部との隙間を安定して閉塞できる移動間仕切装置を提供する。【解決手段】連接された複数の間仕切パネル１，１，…，１Ａと側部閉塞部材２０とにより空間を仕切る移動間仕切装置１０であって、側部閉塞装置２は、間仕切パネル１Ａのパネル部材４の面に沿って回動可能に軸支される回動体２７と、回動体２７に接続されて回動体２７の回動に応じて側部閉塞部材２０を移動規制端部Ｓに対して押すまたは引くとともに、移動規制端部Ｓに側部閉塞部材２０を当接させた状態において付勢手段３３ａから受ける回動体２７の回動中心Ｐ１側への付勢力が増す押引手段２６，２８と、押引手段２６，２８の最大ストロークを越えると回動体２７の回動を規制する規制手段９８ｂと、を備え、側部閉塞部材２０は、付勢手段３３ａから受ける付勢力によって移動規制端部Ｓに押し付けられる。【選択図】図９
2019214855.tif 000002
【特許請求の範囲】
【請求項１】
天井に設けられる誘導路に吊支部材を介して吊支され、該誘導路に沿って移動可能な複数の間仕切パネルと、側部閉塞部材を移動規制端部に対して進退移動可能に保持する側部閉塞装置と、を備え、連接された複数の前記間仕切パネルと前記側部閉塞部材とにより空間を仕切る移動間仕切装置であって、
前記側部閉塞装置は、前記間仕切パネルのパネル部材の面に沿って回動可能に軸支される回動体と、該回動体に接続されて当該回動体の回動に応じて前記側部閉塞部材を前記移動規制端部に対して押すまたは引くとともに、前記移動規制端部に前記側部閉塞部材を当接させた状態において付勢手段から受ける前記回動体の回動中心側への付勢力が増す押引手段と、前記押引手段の最大ストロークを越えると当該回動体の回動を規制する規制手段と、を備え、
前記側部閉塞部材は、前記付勢手段から受ける付勢力によって前記移動規制端部に押し付けられることを特徴とする移動間仕切装置。
【請求項２】
前記回動体と前記押引手段とは、屈折可能に接続されており、接続部分で屈折方向が反転して前記回動体の回動が前記規制手段に規制されることを特徴とする請求項１に記載の移動間仕切装置。
【請求項３】
前記押引手段と前記側部閉塞部材との間には、前記付勢手段が介在されていることを特徴とする請求項１または２に記載の移動間仕切装置。
【請求項４】
前記付勢手段は、上下方向に複数配設されていることを特徴とする請求項３に記載の移動間仕切装置。
【請求項５】
前記回動体と前記押引手段とは、前記側部閉塞部材によって前記移動規制端部との隙間を閉塞した際に、接続部分で山折りに屈折していることを特徴とする請求項１ないし４のいずれかに記載の移動間仕切装置。
【請求項６】
前記規制手段は、前記側部閉塞部材によって前記隙間を閉塞した際に、前記回動体または前記押引手段と当接することで打音が発生することを特徴とする請求項１ないし５のいずれかに記載の移動間仕切装置。
【請求項７】
前記回動体の最大回動角度は、略９０度であることを特徴とする請求項１ないし６のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレール（誘導路）にローラを有する吊支部材を介して吊支され、該レールに沿って移動可能な間仕切パネルを連接して所定の区画に仕切って、所望の小区画のレイアウトを実現している。このような移動間仕切装置にあっては、最後尾の間仕切パネルに壁部（移動規制端部）との隙間を閉塞する側部閉塞部材を連接方向に進退自在な側部閉塞装置が設けられているものがあり、側部閉塞部材を壁部に対して押圧させることで隙間を閉塞し、光や音の漏れを防止できるようにしたものが知られている。
【０００３】
例えば、特許文献１に示される間仕切パネルにおける側部閉塞装置は、上下方向に延びる円柱状のネジ軸ロッドと、二つの板材の一端部同士が回動可能に連結された連結端部を基点として拡開する横向きＶ字状を成した拡縮リンク部材と、拡縮リンク部材の連結端部側に左右方向（連接方向）に長尺な板状の押圧体を介して接続された側部閉塞部材と、から構成されている。
【０００４】
ネジ軸ロッドには、周面に上下方向に離間して所謂右ネジ状の雄ネジ部と左ネジ状の雄ネジ部がそれぞれ形成されており、雄ネジ部は二つの板材の自由端部に形成された雌ネジ部に螺合されている。これにより、ネジ軸ロッドを一方向に回転させると各雄ネジ部に沿って二つの板材の各自由端部が移動し、該自由端部同士が近接することに伴い、拡縮リンク部材の連結端部がネジ軸ロッドから離間する方向へと進出する。同様に、昇降ロッドを他方向に回転させると拡縮リンク部材の自由端部同士が離間するとともに、拡縮リンク部材の連結端部がネジ軸ロッドに近接する方向へと後退する。これらのことから、ネジ軸ロッドの回転に従動して、押圧体が側部閉塞部材を左右方向に押すまたは引くことで、側部閉塞部材は左右方向に進退移動可能となっている。
【先行技術文献】
【特許文献】
【０００５】
【特許文献１】実公平７−３５１０４号公報（第２，３頁、第４図）
【発明の概要】
【発明が解決しようとする課題】
【０００６】
しかしながら、特許文献１の間仕切パネルにおいては、ネジ軸ロッドを一回転させた際の拡縮リンク部材の自由端部の移動距離は雄ネジ部の一ピッチ分であることから、間仕切パネルと壁部との隙間が閉塞されるまでネジ軸ロッドを複数回回転させる必要がある一方で、適切な回転回数を把握することが困難であるため、回転回数が足りないと側部閉塞部材と壁部との間の閉塞が不十分となり、回転回数が多すぎると昇降ロッド、拡縮リンク部材、側部閉塞部材に過剰な応力が作用し変形等が発生するという問題があった。
【０００７】
本発明は、このような問題点に着目してなされたもので、移動規制端部との隙間を安定して閉塞できる移動間仕切装置を提供することを目的とする。
【課題を解決するための手段】
【０００８】
前記課題を解決するために、本発明の移動間仕切装置は、
天井に設けられる誘導路に吊支部材を介して吊支され、該誘導路に沿って移動可能な複数の間仕切パネルと、側部閉塞部材を移動規制端部に対して進退移動可能に保持する側部閉塞装置と、を備え、連接された複数の前記間仕切パネルと前記側部閉塞部材とにより空間を仕切る移動間仕切装置であって、
前記側部閉塞装置は、前記間仕切パネルのパネル部材の面に沿って回動可能に軸支される回動体と、該回動体に接続されて当該回動体の回動に応じて前記側部閉塞部材を前記移動規制端部に対して押すまたは引くとともに、前記移動規制端部に前記側部閉塞部材を当接させた状態において付勢手段から受ける前記回動体の回動中心側への付勢力が増す押引手段と、前記押引手段の最大ストロークを越えると当該回動体の回動を規制する規制手段と、を備え、
前記側部閉塞部材は、前記付勢手段から受ける付勢力によって前記移動規制端部に押し付けられることを特徴としている。
この特徴によれば、ハンドル等の操作力により回動体を回動させることによって、側部閉塞部材は移動規制端部に向かって進出して当該移動規制端部に当接し、その後押引手段は側部閉塞部材に相対的に近付くことで付勢手段から回動体の回動中心側へ受ける付勢力が増加し、最大ストロークに達した後の押引手段は側部閉塞部材から相対的に離れる方向に後退し始め、回動体はハンドル等の操作力や付勢手段からの付勢力を受け更に回動し、規制手段に直接または間接的に当接することで押引手段の後退が規制される。この状態では、側部閉塞部材は、付勢手段からの付勢力を受けることによって、移動規制端部に押し付け続けられることから、移動規制端部との隙間を安定して閉塞できる。
【０００９】
前記回動体と前記押引手段とは、屈折可能に接続されており、接続部分で屈折方向が反転して前記回動体の回動が前記規制手段に規制されることを特徴としている。
この特徴によれば、回動体や押引手段に外力が作用しない限り屈折方向は反転しないことから、側部閉塞部材は、連接された複数の間仕切パネルと移動規制端部との隙間を閉塞した位置で保持される。
【００１０】
前記押引手段と前記側部閉塞部材との間には、前記付勢手段が介在されていることを特徴としている。
この特徴によれば、付勢手段からの付勢力を押引手段が回動体の回動中心側へと受けるとともに、付勢手段からの付勢力を側部閉塞部材が移動規制端部へと受ける構造を、簡単に得ることができる。
【００１１】
前記付勢手段は、上下方向に複数配設されていることを特徴としている。
この特徴によれば、側部閉塞部材によって移動規制端部との隙間を閉塞した際に、上下方向において略均等圧で側部閉塞部材と移動規制端部とが密接されるため、密接状態が安定する。
【００１２】
前記回動体と前記押引手段とは、前記側部閉塞部材によって前記移動規制端部との隙間を閉塞した際に、接続部分で山折りに屈折していることを特徴としている。
この特徴によれば、側部閉塞部材を後退させる際に、接続部分が下方へ移動することから、回動体の回動操作に必要な力が小さい。
【００１３】
前記規制手段は、前記側部閉塞部材によって前記隙間を閉塞した際に、前記回動体または前記押引手段と当接することで打音が発生することを特徴としている。
この特徴によれば、発生する打音によって連接された複数の間仕切パネルと移動規制端部との隙間が閉塞されたことを知ることができる。
【００１４】
前記回動体の最大回動角度は、略９０度であることを特徴としている。
この特徴によれば、回動操作をする際に力をかけやすい角度範囲であるとともに、回動体と押引手段とによる十分なストロークを得られる。
【図面の簡単な説明】
【００１５】
【図１】本発明の実施例１における移動間仕切装置を示す斜視図である。
【図２】移動間仕切装置により部屋を仕切った状態を示す概略図である。
【図３】最後尾の間仕切パネルの構造を示す分解斜視図である。
【図４】上部閉塞部材及び下部閉塞部材の収納状態を示す縦断面図である。
【図５】パネル本体に設置された側部閉塞装置を示す模式図である。
【図６】（ａ）は、収納状態における側部閉塞装置を示す模式図であり、（ｂ）は、押引手段の最大ストロークにおける側部閉塞装置を示す模式図である。
【図７】（ａ）は、収納状態における側部進退機構の一部を示す模式図であり、（ｂ）は、（ａ）におけるＸ−Ｘ矢視を拡大して示した図である。
【図８】（ａ）は、押引手段の最大ストロークにおける側部進退機構の一部を示す模式図であり、（ｂ）は、（ａ）におけるＹ−Ｙ矢視を拡大して示した図である。
【図９】（ａ）は、進出状態における側部進退機構の一部を示す模式図であり、（ｂ）は、（ａ）におけるＺ−Ｚ矢視を拡大して示した図である。
【図１０】（ａ），（ｂ）は、最後尾の間仕切パネルによる天井、床、壁部との間の隙間の閉塞態様を示す模式図である。
【図１１】（ａ），（ｂ）は、図１０に引き続き、最後尾の間仕切パネルによる天井、床、壁部との間の隙間の閉塞態様を示す模式図である。
【図１２】（ａ）〜（ｃ）は、本発明の実施例２における側部進退機構の一部を示す模式図である。
【発明を実施するための形態】
【００１６】
本発明に係る移動間仕切装置を実施するための形態を実施例に基づいて以下に説明する。
【実施例１】
【００１７】
実施例１に係る移動間仕切装置につき、図１から図１１を参照して説明する。以下、図２の紙面手前側及び図４の紙面右側を移動間仕切装置の正面側（前方側）とし、その前方側から見たときの上下左右方向を基準として説明する。
【００１８】
間仕切パネル１は、例えば、オフィス、会議室、ショールーム、店舗等の建物内の室内を所定の区画に仕切るために用いられるものであり、図１，図２に示されるように、本実施例では、複数の間仕切パネル１，１，…，１Ａを組み合わせて移動間仕切装置１０を構成している。
【００１９】
移動間仕切装置１０は、室内空間の天井Ｒに設けられるレール３（誘導路）に沿って移動可能な一対の吊支部材９，９（図３参照）により上端が吊支される複数の間仕切パネル１，１，…と、側部閉塞装置２を有する最後尾の間仕切パネル１Ａと、から主に構成され、間仕切パネル１，１，…，１Ａをレール３に沿って図１において右側の側壁Ｗ’に設けられる移動規制端部Ｓ’側に所定の位置まで手動で順次移動させることによって、間仕切パネル１，１，…，１Ａを一列に連接させ、後述する上部閉塞部材１１及び下部閉塞部材１２がレール３及び床Ｆに向けて押し付けられるとともに、側部閉塞装置２の側部閉塞部材２０（図２参照）が側壁Ｗに設けられる移動規制端部Ｓに押し付けられることにより、天井Ｒから床Ｆに亘って室内空間を仕切ることができるようになっている。
【００２０】
尚、移動規制端部Ｓ，Ｓ’とは、移動間仕切装置１０を構成する間仕切パネル１，１，…，１Ａの内、先頭の間仕切パネル１、または、最後尾の間仕切パネル１Ａの側部閉塞部材２０が当接し、先頭の間仕切パネル１、または、最後尾の間仕切パネル１Ａの側部閉塞部材２０の移動を規制する端部を構成する所定の側壁や支柱等のことである。
【００２１】
また、図１に示されるように、レール３には、収納レール３ａ，３ａが直交連結されており、収納レール３ａ，３ａは、間仕切パネル１，１Ａに固定された一対の吊支部材９，９と略同一寸法離間して配置されている。これにより、間仕切パネル１，１，…，１Ａを前後方向（連接方向に直交する方向）に並べて収納可能となっている。
【００２２】
次に、最後尾の間仕切パネル１Ａについて説明する。尚、他の間仕切パネル１の構成については、最後尾の間仕切パネル１Ａの構成と略同一態様であるため、重複する説明については省略する。
【００２３】
図３に示されるように、最後尾の間仕切パネル１Ａは、前後に間隔をおいて対向配置される一対のガラスパネル４，４（パネル部材）と、ガラスパネル４，４を一体に保持する枠部材５（上部フレーム６、縦フレーム７，７Ａ及び下部フレーム８）と、上部フレーム６または下部フレーム８に収納される上部閉塞部材１１または下部閉塞部材１２と、上部閉塞部材１１または下部閉塞部材１２に収納される上角部閉塞部材３１及び下角部閉塞部材３２と、上部閉塞部材１１及び下部閉塞部材１２を進退移動させる上部進退機構６５または下部進退機構８５（図５参照）と、縦フレーム７Ａに取付けられる側部閉塞装置２と、から主に構成される二重ガラスパネル構造を成し、パネル材として透明のガラスパネル４，４が使用されることにより、間仕切パネル１，１，…，１Ａによって仕切られる室内空間の開放感を演出することができるとともに、強度や遮音性に優れている。尚、本実施例では、ガラスパネル４，４と枠部材５とが一体化されてパネル本体５０（図５参照）を構成している。
【００２４】
次に、ガラスパネル４，４の構造について説明する。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２５】
図３に示されるように、前方のガラスパネル４には貫通孔４ｂが形成されており、貫通孔４ｂは、後述する側部閉塞装置２のアクセス部Ｃ（後述する六角ボルト頭部）に位置合わせされている。
【００２６】
次に、枠部材５の構造について説明する。図３に示されるように、枠部材５は、ガラスパネル４，４の上端部に沿って取付けられる上部フレーム６と、上端部が上部フレーム６の左右両端部に連結される一対の縦フレーム７，７Ａと、ガラスパネル４，４の下端部に沿って取付けられ、左右両端部が一対の縦フレーム７，７Ａの下端部に連結される下部フレーム８と、から主に構成され、一対のガラスパネル４，４の上下左右端に沿って配置される、いわゆる四方枠形状を成している。
【００２７】
図４に示されるように、上部フレーム６は、長手方向に沿って設けられる上部チャンネル部６２を備えており、上部チャンネル部６２には、上部閉塞部材１１及び上部進退機構６５（図５参照）が収納されている。また、下部フレーム８は、上部フレーム６を上下に反転した形状と略同一形状であり、下部フレーム８の下部チャンネル部８２には、下部閉塞部材１２及び下部進退機構８５（図５参照）が収納されている。
【００２８】
図３に戻って、最後尾の間仕切パネル１Ａの右側の縦フレーム７は、ガラスパネル４，４の上下方向に延びる芯部材７１と、該間仕切パネル１Ａの上下方向に延び芯部材７１を被覆する被覆部材７０と、から主に構成され、芯部材７１の上端部が上部フレーム６に、芯部材７１の下端部が下部フレーム８に、それぞれ一対のネジで固定される。最後尾の間仕切パネル１Ａの左側の縦フレーム７Ａは、ガラスパネル４，４の上下方向に亘って延びる芯部材７１Ａと、上面視コ字状に形成され芯部材７１Ａを覆うカバー部材７２と、から主に構成され、芯部材７１Ａの上端部が上部フレーム６に、芯部材７１Ａの下端部が下部フレーム８に、それぞれ一対のネジで固定される。尚、他の間仕切パネル１は、縦フレーム７，７が対向配置されている。
【００２９】
ここで、ガラスパネル４，４と縦フレーム７，７Ａとの固定について説明する。ガラスパネル４，４の内面と、縦フレーム７の被覆部材７０の側面とを透明な両面テープで貼付するとともに、前方のガラスパネル４の内面と、縦フレーム７Ａのカバー部材７２の側面とを透明な両面テープで貼付する。このようにしてガラスパネル４，４と縦フレーム７，７Ａとが固着されている。
【００３０】
また、図３に示されるように、カバー部材７２の前方の側板部には、前方のガラスパネル４の貫通孔４ｂと位置合わせされて貫通孔７２ｆが形成されており、ガラスパネル４，４と縦フレーム７，７Ａとが固着され、貫通孔７２ｆと貫通孔４ｂとが連通することで、アクセス部Ｃ（操作部）にアクセス可能なアクセス孔Ｈが形成される。尚、直接の図示は省略するが、アクセス部Ｃの操作を行うとき以外は、アクセス孔Ｈにキャップが装着され、アクセス部Ｃの保護がなされている。
【００３１】
次に、上部閉塞部材１１及び下部閉塞部材１２について説明する。図４，図５に示されるように、上部閉塞部材１１は、上部フレーム６と略同一寸法で左右方向に延びており、側方から見て下向きコ字形状を成している。下部閉塞部材１２は、上部閉塞部材１１を上下反転した形状と略同一形状であるため、その説明を省略する。
【００３２】
図７，図９，図１０に示されるように、上部閉塞部材１１及び下部閉塞部材１２は、上部フレーム６の上部チャンネル部６２及び下部フレーム８の下部チャンネル部８２に収納された状態において、パネル本体５０よりも右側（間仕切り位置への進行方向）に右端部がそれぞれ突出している。また、上部閉塞部材１１及び下部閉塞部材１２は、隣接する間仕切パネル１の左側端部に押圧されることにより、上部進退機構６５または下部進退機構８５によってレール３及び床Ｆに対して進退移動するようになっている。尚、上部閉塞部材１１及び下部閉塞部材１２を進退動作させる上部進退機構６５または下部進退機構８５は、捻りコイルバネ、または捻りコイルバネ及びリンク部材を組み合わせたリンク機構等により構成されている。
【００３３】
次に、側部閉塞装置２について説明する。図５，図６に示されるように、側部閉塞装置２は、カバー部材７２内の収納部７２ｄに収納される側部閉塞部材２０と、縦フレーム７Ａの芯部材７１Ａに固定されるベース杆２３と、側部閉塞部材２０とベース杆２３との間に介在し当該側部閉塞部材２０を支持する上下一対の重量支持機構３５，３５と、ベース杆２３に固定され側部閉塞部材２０を左方向に押動または右方向に引動させる側部進退機構２５と、から主に構成されており、側部進退機構２５の進退動作に応じて側部閉塞部材２０は進退するようになっている。
【００３４】
図５，図６を参照し、側部閉塞部材２０は、ガラスパネル４，４の上下方向に亘って延び芯部材７１Ａ側（右側）に開口する上面視コ字状に形成された本体部材２１のコ字状底部に支持杆２２が固定されており（図７（ｂ）参照）、上面視移動規制端部Ｓ側（左側）に開口するカバー部材７２の内部に連接方向（左右方向）に移動可能に収納されている。また、支持杆２２には側部進退機構２５及び各重量支持機構３５，３５が連結されている。
【００３５】
図５，図６を参照し、支持杆２２は、上下方向に長尺な角パイプ状の部材であり（図７（ｂ）参照）、支持杆２２には、取付片２２ａ，２２ａが上部及び下部それぞれに溶接固定されており、取付片２２ａには重量支持機構３５が回動可能に取付けられている。
【００３６】
また、図７（ｂ）に示されるように、支持杆２２の前後の側面部には、上面視柄杓形状に形成された二つの段付き板材２２ｂ，２２ｂが、前後方向に延びる各短板部を芯部材７１Ａ側で対向配置させた状態で固定されており、二つの段付き板材２２ｂ，２２ｂに囲まれた空間内を後述する側部進退機構２５の押引体２６が左右方向に移動可能かつ芯部材７１Ａ側への移動は短板部である規制部により規制可能となっている。
【００３７】
図５，図６に戻って、ベース杆２３は、上下方向に長尺なＣ字チャンネル杆状の部材であり、上下方向に亘って形成されたスリットが移動規制端部Ｓ側（左側）に向けて配置された状態で、ボルトナットにより芯部材７１Ａに固定されている。
【００３８】
また、ベース杆２３の左側面部には、上下方向略中央部に上下方向に離間した第１取付片２３ａ，２３ａ（図５参照）と、第１取付片２３ａ，２３ａよりも上端部側または下端部側に位置した第２取付片２３ｂ，２３ｂと、第２取付片２３ｂ，２３ｂそれぞれの下方にてベース杆２３の板状の支持板２３ｃ，２３ｃとが溶接固定されており、第１取付片２３ａ，２３ａには側部進退機構２５が、第２取付片２３ｂ，２３ｂには重量支持機構３５，３５が、それぞれ回動可能に軸支され、支持板２３ｃ，２３ｃには重量支持機構３５，３５のローラ３８，３８（図６参照）が押圧されている。
【００３９】
また、図７（ａ）に示されるように、ベース杆２３の第１取付片２３ａには、ピン状の第１ストッパ９８ａと第２ストッパ９８ｂ（規制手段）とが溶接固定されており、後述する側部進退機構２５のレバー２７が当接することで当該レバー２７の回動を規制する。
【００４０】
次いで、重量支持機構３５，３５について下方の重量支持機構３５を例に説明し、以降の説明において特に断らない限り、上方の重量支持機構３５の説明については省略する。図６に示されるように、重量支持機構３５は、長尺の第１リンク部３６と、短尺の第２リンク部３７と、から構成され、第２リンク部３７の一端部３７ａは、第１リンク部３６の長尺方向略中央部に回動可能に軸支され、横向き略入字状を成している。また、第２リンク部３７の他端部３７ｂは、ベース杆２３の第２取付片２３ｂに回動可能に軸支されている。
【００４１】
第１リンク部３６の一端部３６ａには、回動可能に軸支されたローラ３８が設けられている。ローラ３８は、ベース杆２３の支持板２３ｃに押圧されており、第１リンク部３６の傾きに応じて支持板２３ｃに押圧されながら回転し、上方または下方に移動可能となっている。また、第１リンク部３６の他端部３６ｂは、支持杆２２の取付片２２ａに回動可能に軸支されている。
【００４２】
このように、側部閉塞部材２０とベース杆２３とは重量支持機構３５によって連結されている。また、重量支持機構３５は、側部閉塞部材２０の移動を略水平方向へ案内可能である。さらに、重量支持機構３５，３５は上下に離間して配置されていることから、側部閉塞部材２０を精度よく水平方向へ案内できる。
【００４３】
次いで、図５〜図７を用いて、側部進退機構２５について説明をする。図５，図６に示されるように、側部進退機構２５は、ベース杆２３に回動可能に軸支される上下一対のレバー２７，２７（回動体）と、該レバー２７に回動可能に取付けられる板状の長尺部材であるアーム体２８，２８と、該アーム体２８，２８それぞれが回動可能に取付けられる上下方向に長尺な押引体２６と、レバー２７，２７それぞれに回動可能に軸支される上下方向に長尺なパイプ状のリンク部材２９と、押引体２６と支持杆２２との間に介在する複数の緩衝部材３３，３３，…と、から主に構成されている。尚、本実施例における押引手段は、押引体２６と、アーム体２８，２８と、から構成されている。
【００４４】
図５を参照して、押引体２６は、支持杆２２よりも短尺な角パイプ状の部材（図７（ｂ）参照）の上部と下部から芯部材７１Ａ側にそれぞれ突出した軸部に略矩形状の取付部２６ａ，２６ａが連結されて構成されており、取付部２６ａ，２６ａにはアーム体２８，２８が回動可能に取付けられている。
【００４５】
図７（ａ）に示されるように、レバー２７は、正面視略鈍角三角形状に形成されており、鈍角に形成された第１角部２７ａを前後方向に貫通する貫通孔と、ベース杆２３の第１取付片２３ａを前後方向に貫通する貫通孔と、に挿通された六角ボルトにナットが螺着されることで、第１取付片２３ａに回動可能に軸支されている。また、六角ボルトの頭部は、レバー２７に対して相対的に回動しないように当該レバー２７に固定されており、下方のレバー２７の六角ボルトの頭部は、アクセス孔Ｈを介して前方のガラスパネル４に露出するアクセス部Ｃである。
【００４６】
また、第１角部２７ａから最も離間した第２角部２７ｂと、アーム体２８の一端部２８ａとがそれぞれ回動可能に軸支されている。さらに、上方のレバー２７の第３角部２７ｃはリンク部材２９の上端部２９ａ（図５参照）に、下方のレバー２７の第３角部２７ｃはリンク部材２９の下端部２９ｂに、それぞれ回動可能に軸支されることでリンク部材２９を介して連結されており、レバー２７，２７はリンク部材２９によって連動して回動する。
【００４７】
また、上方のアーム体２８の他端部２８ｂは押引体２６の上方の取付部２６ａ（図５参照）に、下方のアーム体２８の他端部２８ｂは押引体２６の下方の取付部２６ａに、それぞれ回動可能に取付けられている。
【００４８】
尚、以降の説明において、図６〜図９に示されるように、レバー２７の第１角部２７ａの軸支部分を第１軸支部Ｐ１（回動中心）、第２角部２７ｂの軸支部分を第２軸支部Ｐ２（接続部分）、アーム体２８の他端部２８ｂの軸支部分を第３軸支部Ｐ３、第３角部２７ｃの軸支部分を第４軸支部Ｐ４とする。
【００４９】
図５〜図７に示されるように、第１軸支部Ｐ１と第３軸支部Ｐ３とは、略同一の高さ位置に配置されている。
【００５０】
また、リンク部材２９は、移動規制端部Ｓ側の側端部がベース杆２３のスリットを通じて当該移動規制端部Ｓ側に進出した状態でベース杆２３の空隙に挿嵌されており、リンク部材２９がレバー２７，２７の回動に応じて上下方向に移動する際にスリットを形成するベース杆２３の側端部と当接することで移動の案内がなされる。これによって、リンク部材２９の上下方向への移動が安定する。
【００５１】
図７（ｂ）に示されるように、緩衝部材３３は、左右方向に付勢するコイル状の圧縮バネ３３ａ（付勢手段）と、該圧縮バネ３３ａに軸通されるボルト形状の軸芯３３ｂと、から構成されており、軸芯３３ｂの一端部が押引体２６の支持杆２２側の側端部に螺着されている。一方、軸芯３３ｂの他端部は、支持杆２２の押引体２６側の側端部を左右方向に貫通する貫通孔２２ｃに挿通されており、軸芯３３ｂは、該貫通孔２２ｃを通じて左右方向へ移動可能となっている。
【００５２】
また、押引体２６は、圧縮バネ３３ａの付勢力やアーム体２８による引動により、押引体２６が芯部材７１Ａ側に移動しても段付き板材２２ｂ，２２ｂの規制部に接触するため、貫通孔２２ｃから軸芯３３ｂから脱落することがなく、支持杆２２から離脱することが防止されている。このようにして、側部進退機構２５は、側部閉塞部材２０とベース杆２３との間に連結されている。
【００５３】
次に、図７〜図１１を用いて、最後尾の間仕切パネル１Ａによる間仕切パネル１，１，…，１Ａと移動規制端部Ｓ、天井Ｒ及び床Ｆとの隙間の閉塞動作について説明する。尚、以降の説明において、特に断らない限り、下方に位置する、レバー２７、アーム体２８及び押引体２６の取付部２６ａを例に説明する。先ず、図１０（ａ）に示されるように、側部閉塞装置２の側部閉塞部材２０が収納状態にある最後尾の間仕切パネル１Ａを隣接する間仕切パネル１と移動規制端部Ｓとの間へと移動する。このとき、上部閉塞部材１１及び下部閉塞部材１２は隣接する間仕切パネル１の左側端部に当接しており、連接された間仕切パネル１，１，…，１Ａと移動規制端部Ｓとの間には、最後尾の間仕切パネル１Ａと移動規制端部Ｓとの隙間Ｇ１と、最後尾の間仕切パネル１Ａとこれに隣接する間仕切パネル１Ａとの隙間Ｇ２とが形成されている。
【００５４】
また、側部閉塞部材２０の収納状態において、図７（ａ）に示されるように、第２軸支部Ｐ２が第１軸支部Ｐ１の略垂直下方に位置している。このとき、レバー２７の第１角部２７ａと第３角部２７ｃとの間の側端部２７ｄ（図７（ａ）参照）が、第１ストッパ９８ａ（図７（ａ）参照）に当接しているため、レバー２７の反時計回り方向への回動が規制されている。一方、レバー２７とアーム体２８とは、第２軸支部Ｐ２で谷折りに屈折して正面視略Ｖ字状を成し、本実施例において第１軸支部Ｐ１から第３軸支部Ｐ３までの左右方向の寸法が最短となっている。押引体２６及び側部閉塞部材２０もレバー２７側に配置されているため、側部閉塞部材２０はカバー部材７２内の収納部７２ｄに収納された状態となっている（図６（ａ）参照）。
【００５５】
また、側部閉塞部材２０の収納状態において、アクセス部Ｃに取付けたハンドル（図示略）を操作して下方のレバー２７を時計回り方向に回動させると、リンク部材２９を介して上方のレバー２７も時計回り方向に回動され、各第２軸支部Ｐ２，Ｐ２が時計回り方向へ回動して、第３軸支部Ｐ３が移動規制端部Ｓ側へと移動し、谷折りに屈折するレバー２７とアーム体２８とが拡開していく。このとき、側部閉塞部材２０は、重量支持機構３５，３５によって側部閉塞部材２０の重量Ｗ１が支持されながら、略水平方向へ案内されるため、第３軸支部Ｐ３はレバー２７の回動に応じて略水平方向へ移動する。これにより、側部閉塞部材２０は押引体２６に押動され、図１０（ｂ）に示されるように、側部閉塞部材２０は移動し、その側端部が移動規制端部Ｓに当接して、隙間Ｇ１が閉塞される。
【００５６】
このとき、重量支持機構３５，３５によって、側部閉塞部材２０の重量Ｗ１をベース杆２３（図６参照）に主に負荷させることができるので、側部進退機構２５のレバー２７を軽い力で回動操作可能となっている。
【００５７】
また、側部進退機構２５は、平行リンクを形成していることから、側部進退機構２５による側部閉塞部材２０の押動または引動の際に、押引体２６に対して略均等に力を作用させることができるとともに、押引体２６（第３軸支部Ｐ３，Ｐ３）を第１軸支部Ｐ１，Ｐ１に対して略平行に移動させることができる。
【００５８】
図１０（ｂ）に示される状態から、ハンドルを操作してアクセス部Ｃの回動を続けると、側部閉塞部材２０の移動規制端部Ｓ側への移動は、該移動規制端部Ｓによって規制されていることから、パネル本体５０側が隣接する間仕切パネル１側へと移動する。これに伴い、上部閉塞部材１１及び下部閉塞部材１２それぞれの側端部が隣接する間仕切パネル１の左側端部に押圧されることから、図１１（ａ）に示されるように、上部閉塞部材１１及び下部閉塞部材１２が天井Ｒまたは床Ｆに向かって進出し、当接する。
【００５９】
図１１（ａ）に示される状態から、ハンドルを操作してアクセス部Ｃの回動を続けると、パネル本体５０が移動し、谷折りに屈折するレバー２７とアーム体２８との拡開が進み直線状を成した後、屈折方向が山折りに反転して、ハンドルの回動角度が略９０度に達することで、図１１（ｂ）に示されるように、隙間Ｇ２が閉塞される。以下、詳細に説明する。
【００６０】
アクセス部Ｃが時計回り方向へ回動されると、第２軸支部Ｐ２は、第１軸支部Ｐ１を中心として時計回り方向へ回動し、第１軸支部Ｐ１及び第３軸支部Ｐ３と略同一高さ位置に移動することで、第１軸支部Ｐ１、第３軸支部Ｐ３と共に略直線を成す（図８（ａ）を参照）。このとき、第１軸支部Ｐ１から第３軸支部Ｐ３までの左右方向の寸法が最長となり（押引体２６と、アーム体２８と（押引手段）の最大ストローク）、緩衝部材３３の圧縮バネ３３ａが最も圧縮された状態となる（図８（ｂ）参照）。また、押引体２６と、アーム体２８と（押引手段）の最大ストロークにおいて、第１軸支部Ｐ１、第２軸支部Ｐ２及び第３軸支部Ｐ３は、所謂デッドセンターに沿って並んでいる。
【００６１】
この状態からさらにアクセス部Ｃが回動されると、第２軸支部Ｐ２がデッドセンターを越えて、第２軸支部Ｐ２は僅かに右側（ベース杆２３側）かつ上側へ移動し、レバー２７とアーム体２８とは、山折りに屈折して正面視略下向きＶ字状を成し、押引体２６とアーム体２８とは、最大ストロークを越えて後退し始める。また、圧縮バネ３３ａは圧縮されていく状態から伸長していく状態へと移行する。尚、第２軸支部Ｐ２がデッドセンターをわずかに越える角度がハンドルの回動角度略９０度となるように構成されている。
【００６２】
アクセス部Ｃを介してハンドルから与えられる操作力と圧縮バネ３３ａの伸長による付勢力により、回動するレバー２７は、時計回り方向へ回動し、レバー２７の第１角部２７ａと第２角部２７ｂとの間の側端部２７ｅが第２ストッパ９８ｂに当接することで、回動が規制されるため、押引体２６とアーム体２８の後退も規制される。この規制状態では、側部閉塞部材２０は、圧縮バネ３３ａからの付勢力を受けることによって、移動規制端部Ｓに安定して押し付け続けられることから、連接された間仕切パネル１，１，…，１Ａと移動規制端部Ｓとの隙間Ｇ１，Ｇ２（図１０（ａ）参照）を安定して閉塞できる。また、レバー２７、アーム体２８に外力が作用しない限り屈折方向は反転しないことから、隙間Ｇ１，Ｇ２を閉塞した位置で保持される。
【００６３】
また、圧縮バネ３３ａは、上下方向に複数配設されていることから、隙間Ｇ１，Ｇ２を閉塞した際に、上下方向において略均等圧で側部閉塞部材２０と移動規制端部Ｓとが密接されるため、密接状態が安定する。
【００６４】
また、第２軸支部Ｐ２がデッドセンターを越えることでレバー２７に作用する圧縮バネ３３ａの付勢力によって、レバー２７の側端部２７ｅが確実に第２ストッパ９８ｂへと押し付けられることから、隙間Ｇ１，Ｇ２を確実に閉塞できるとともに、隙間Ｇ１，Ｇ２を閉塞した際に、レバー２７の側端部２７ｅと第２ストッパ９８ｂの接触による打音が発生し易くなっている。これにより、音で隙間Ｇ１，Ｇ２が密接されたことを知ることができる。また、第２軸支部Ｐ２がデッドセンターを越えた際に、ハンドルによる直接的な回動操作に必要な力が圧縮バネ３３ａの付勢力によって軽減されるため、回動操作の終了を事前に察知しやすい。
【００６５】
また、レバー２７の最大回動角度は、略９０度であることから、回動操作をする際に力をかけやすい角度範囲であるとともに、レバー２７とアーム体２８とによる十分なストロークを得られる。
【００６６】
また、例えば移動規制端部Ｓが垂直方向よりも僅かに傾斜しているような状態であっても、緩衝部材３３の圧縮バネ３３ａ（図５参照）が圧縮され当該側部閉塞部材２０の側端部は傾動するため、確実に側部閉塞部材２０を移動規制端部Ｓに沿って押圧させることができる。
【００６７】
また、逆の手順を行うことで、第２軸支部Ｐ２を基点として山折りに屈折していた屈折方向（図９（ａ）参照）が、第２軸支部Ｐ２を基点として谷折りに屈折するように反転して（図７（ａ）参照）、に示されるように、押引体２６がレバー２７側へと移動する。これに伴って、押引体２６によって支持杆２２の段付き板材２２ｂ，２２ｂの規制部が引動され、側部閉塞部材２０はカバー部材７２の収納部７２ｄ内へと後退し収納状態となる（図６（ａ）参照）。
【００６８】
また、側部閉塞部材２０を後退させる際に、第２軸支部Ｐ２が下方へ移動することから、レバー２７の回動操作に必要な力が小さい。
【００６９】
また、レバー２７の側端部２７ｄが第１ストッパ９８ａに当接することで打音が発生するため、音で側部閉塞部材２０が収納状態となったことを把握することができる。
【００７０】
以上説明してきたように、本実施例の移動間仕切装置１０は、押引体２６と側部閉塞部材２０との間には、圧縮バネ３３ａが介在されていることから、圧縮バネ３３ａからの付勢力を押引体２６がレバー２７のアクセス部Ｃ側へと受けるとともに、圧縮バネ３３ａからの付勢力を側部閉塞部材２０が移動規制端部Ｓ側へと受ける構造を、簡単に得ることができる。
【００７１】
また、側部閉塞装置２が一対のガラスパネル４，４の間に配設されることで美観性がよく、アクセス部Ｃがガラスパネル４，４に露出していることからアクセスが容易であるため、操作性が良い。
【００７２】
また、枠部材５が上部フレーム６、一対の縦フレーム７，７Ａ及び下部フレーム８が一体に連結されて構成されることにより、枠部材５の構造強度を確保しながら、上部フレーム６、一対の縦フレーム７，７Ａ及び下部フレーム８によって囲まれる領域における、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【実施例２】
【００７３】
次に、実施例２に係る移動間仕切装置につき、図１２を参照して説明する。尚、前記実施例に示される構成部分と同一構成部分については同一符号を付して重複する説明を省略する。
【００７４】
実施例２における移動間仕切装置について説明する。図１２に示されるように、本実施例において、側部閉塞部材２０は、支持杆２２に取付部１２６ａが直接取付けられている。また、側部閉塞部材２０と対向配置された移動規制端部Ｓ１は、床Ｆから天井Ｒに亘って移動不能に固定された本体Ｔ１と、上下方向に複数配置された圧縮バネ１３３ａを介して本体Ｔ１に連結された可動壁Ｔ２と、から構成されている。可動壁Ｔ２は、本体Ｔ１側へ押される等の外力が作用していない際には、複数の圧縮バネ１３３ａの付勢力によって本体Ｔ１から離間しているとともに、本体Ｔ１に対して略平行に配置されており（図１２（ａ）参照）、本体Ｔ１側へ押される等の外力が作用することで、圧縮バネ１３３ａを圧縮しながら本体Ｔ１側へ移動可能となっている（図１２（ｂ），（ｃ）参照）。尚、本実施例の押引手段は、取付部１２６ａとアーム体２８とによって構成されている。
【００７５】
連接された間仕切パネル１，１，…，１Ａと移動規制端部Ｓ１との隙間Ｇ１，Ｇ２を閉塞する際には、前記実施例１と同様に、アクセス部Ｃに取付けたハンドル（図示略）を操作して下方のレバー２７を時計回り方向へ略９０度回動させる。以降、詳細に説明する。
【００７６】
取付部１２６ａと、アーム体２８とによって押動される側部閉塞部材２０は、可動壁Ｔ２に面当接して、図１２（ｂ）に示されるように、取付部１２６ａと、アーム体２８とが最大ストロークに達することで、本体Ｔ１側へと最も押込まれた状態となる。これに伴い、複数の圧縮バネ１３３ａそれぞれが最も圧縮された状態となる。
【００７７】
さらにアクセス部Ｃが回動されて第２軸支部Ｐ２がデッドセンターを越えると、取付部１２６ａと、アーム体２８とは、最大ストロークを越えて後退し始める。これに伴い、可動壁Ｔ２は、圧縮バネ１３３ａの付勢力によって側部閉塞部材２０の本体部材２１に面当接した状態のままレバー２７側へと移動し始める。一方、取付部１２６ａ、アーム体２８は、圧縮バネ１３３ａの付勢力を受ける側部閉塞部材２０を介して、レバー２７の第１軸支部Ｐ１側へと圧縮バネ１３３ａの付勢力を受ける。
【００７８】
図１２（ｃ）に示されるように、レバー２７の側端部２７ｅが第２ストッパ９８ｂに当接してレバー２７の回動が規制されると、取付部１２６ａ及びアーム体２８の後退も規制される。その一方で、可動壁Ｔ２は、圧縮バネ１３３ａからの付勢力を受けることによって、安定して側部閉塞部材２０の本体部材２１に押し付け続けられることから、隙間Ｇ１，Ｇ２（１０（ａ）参照）を安定して閉塞できる。また、レバー２７、アーム体２８に外力が作用しない限り屈折方向は反転しないことから、隙間Ｇ１，Ｇ２を閉塞した位置で保持される。
【００７９】
尚、移動規制端部Ｓ１が、複数の圧縮バネ１３３ａを備える態様として説明したが、これに限らず、側部閉塞装置２を備える間仕切パネル１Ａに隣接する間仕切パネル１が複数の圧縮バネ１３３ａを備えていてもよい。
【００８０】
以上、本発明の実施例を図面により説明してきたが、具体的な構成はこれら実施例に限られるものではなく、本発明の要旨を逸脱しない範囲における変更や追加があっても本発明に含まれる。
【００８１】
例えば、前記実施例では、側部閉塞装置２を有する間仕切パネル１Ａは、最後尾である態様として説明したが、これに限らず、先頭や間仕切パネル１，１の間等、その配置は適宜変更されてもよい。また、他の間仕切パネルに関しては、本実施例における最後尾の間仕切パネル１Ａの構成と略同一態様であることに限らず、例えば、梯子状の枠体にパネル部材が貼り付けられたものでもよく、適宜選択されればよい。
【００８２】
側部閉塞装置２は、最後尾の間仕切パネル１Ａのガラスパネル４，４の間に配置されている態様として説明したが、これに限らず、側壁Ｗに沿って室内側や、側壁Ｗ内に配置され、最後尾の間仕切パネルに向けて側部閉塞部材を進退移動させる態様であってもよい。
【００８３】
レバー２７は、鈍角三角形状に形成されている態様として説明したが、これに限らず、第１軸支部Ｐ１が第２軸支部Ｐ２及び第３軸支部Ｐ３によって挟まれるように配置されているのであれば、略円状や他の多角形状に形成されていてもよい。
【００８４】
また、側部進退機構２５は、側部閉塞部材２０が収納状態である際に、レバー２７とアーム体２８とが正面視略Ｖ字状を成しており、レバー２７を時計回り方向へ回動させることで側部閉塞部材２０を進出させることができる態様として説明したが、レバー２７とアーム体２８とが正面視略下向きＶ字状を成していてもよく、この態様であればレバー２７を反時計回り方向へ回動させることで側部閉塞部材２０を進出させることができる。さらに、アーム体２８，２８と押引体２６との間に回動可能に軸支された別のアーム体が介在されていてもよい。すなわち、押引手段を含めて側部進退機構２５の構造については、適宜変更されてもよい。
【００８５】
側部進退機構２５は、押引体２６、レバー２７，２７、アーム体２８，２８、及びリンク部材２９により平行リンクを成しているとして説明したが、これに限らず、レバー２７、アーム体２８だけで構成されていてもよく、限定されるものではない。このことから、押引手段はアーム体２８だけであってもよい。また、レバー２７とアーム体２８とは、回動可能に軸支されている態様として説明したが、これに限らず、カムの回動に応じてアーム体が連接方向に進退動作するカム機構であってもよい。
【００８６】
また、レバー２７を略９０度回動させることで側部閉塞部材２０を進出状態とすることができる態様として説明したが、これに限らず、９０度未満であってもよく、１８０度を超えていてもよく、限定されるものではない。しかしながら、回動操作に必要な角度を把握しやすいように、３６０度未満であることが好ましい。
【００８７】
また、規制手段について、第２ストッパ９８ｂである態様として説明したが、これに限らず、リンク部材２９が六角ボルトの胴部やベース杆２３に当接する、アーム体が当接するピンを別途設ける等、レバー２７の回動を直接的または間接的に規制できるものであればよく、限定されるものではない。
【００８８】
複数の緩衝部材３３及び複数の圧縮バネ１３３ａの配置については、側部閉塞部材２０の本体部材２１を移動規制端部Ｓに、または、移動規制端部Ｓ１を側部閉塞部材２０の本体部材２１に安定して押し付け続けられる態様であればよいため、所定間隔置きに配置されていてもよく、上端部と下端部に集中するように配置されていてもよく、適宜変更されればよい。
【００８９】
また、付勢手段は、緩衝部材３３の圧縮バネ３３ａや圧縮バネ１３３ａである態様として説明したが、これに限らず、板バネ、ねじりばね、ベローズ、磁石、電磁石等であってもよく、限定されるものではない。
【００９０】
また、ガラスパネル４，４が前後に２枚設けられる間仕切パネル１について説明したが、これに限らず、間仕切パネルは、ガラスパネルが１枚または３枚以上の複数設けられるものであってもよい。
【００９１】
パネル部材は、ガラスパネル４，４である態様として説明したが、これに限らず、木板や不透明に着色された樹脂製の板等、不透明のものが適宜使用されてもよい。また、各ガラスパネルの左右方向の寸法は適宜変更されてもよく、その構成が限定されるものではない。
【符号の説明】
【００９２】
１，１Ａ              間仕切パネル
２                    側部閉塞装置
３                    レール（誘導路）
４                    ガラスパネル（パネル部材）
９                    吊支部材
１０                  移動間仕切装置
２０                  側部閉塞部材
２６                  押引体（押引手段）
２７                  レバー（回動体）
２８                  アーム体（押引手段）
３３ａ，１３３ａ      圧縮バネ（付勢手段）
９８ｂ                第２ストッパ（規制手段）
１２６ａ              取付部（押引手段）
Ｇ１，Ｇ２            隙間
Ｆ                    床
Ｐ１                  第１軸支部（回動中心）
Ｐ２                  第２軸支部（接続部分）
Ｒ                    天井
Ｓ，Ｓ１              移動規制端部
【図１】
2019214855.tif 000003
【図２】
2019214855.tif 000004
【図３】
2019214855.tif 000005
【図４】
2019214855.tif 000006
【図５】
2019214855.tif 000007
【図６】
2019214855.tif 000008
【図７】
2019214855.tif 000009
【図８】
2019214855.tif 000010
【図９】
2019214855.tif 000011
【図１０】
2019214855.tif 000012
【図１１】
2019214855.tif 000013
【図１２】
2019214855.tif 000014